(57)【要約】【課題】エレベーターの無人運転中のかご内電気機器の点灯及び運転を効率的に制御する。【解決手段】エレベーター制御装置は、エレベーターのかご内電気機器と、前記かご内電気機器を制御するかご内用電源制御部と、前記エレベーターの運転を制御するエレベーター運転制御部と、を備え、前記かご内用電源制御部は、前記エレベーターが所定時間戸閉状態である場合に、前記かご内電気機器の運転を停止させ、前記エレベーターが目的階に到着した後に前記かご内電気機器の運転を開始させる。【選択図】図１
2014237531.tif 000002
【特許請求の範囲】
【請求項１】
エレベーターのかご内電気機器と、
前記かご内電気機器を制御するかご内用電源制御部と、
前記エレベーターの運転を制御するエレベーター運転制御部と、
を備え、
前記かご内用電源制御部は、
前記エレベーターが所定時間戸閉状態である場合に、前記かご内電気機器の運転を停止させ、
前記エレベーターが目的階に到着した後に前記かご内電気機器の運転を開始させる
ことを特徴とする、エレベーター制御装置。
【請求項２】
前記かご内用電源制御部は、
前記エレベーターが前記目的階に移動している間、前記かご内電気機器の運転停止を継続させる
ことを特徴とする、請求項１に記載のエレベーター制御装置。
【請求項３】
前記かご内用電源制御部は、
前記エレベーターが前記目的階に到着する前に、前記かご内電気機器の運転を開始させる
ことを特徴とする、請求項２に記載のエレベーター制御装置。
【請求項４】
前記目的階は、乗客によりエレベーターホールの乗場釦が押下された階であって、
前記エレベーター運転制御部は、
乗客によりエレベーターホールの乗車釦が押下された場合に、前記エレベーターを前記目的階に移動させる、
ことを特徴とする、請求項１に記載のエレベーター制御装置。
【請求項５】
前記目的階は、予め設定された乗車率の高い基準階であって、
前記エレベーター運転制御部は、
乗客によりエレベーターホールの乗車釦が押下されず、前記エレベーターが前記基準階に停止していない場合に、前記エレベーターを前記基準階に移動させる、
ことを特徴とする、請求項４に記載のエレベーター制御装置。
【請求項６】
前記かご内電気機器は、前記かご内の照明器、換気扇または送付器、案内表示装置及び運転操作盤を含む
ことを特徴とする、請求項１に記載のエレベーター制御装置。
【請求項７】
エレベーターのかご内電気機器と、前記かご内電気機器を制御するかご内用電源制御部と、前記エレベーターの運転を制御するエレベーター運転制御部と、を備えるエレベーター制御装置におけるエレベーター制御方法であって、
前記かご内用電源制御部が、前記エレベーターが所定時間戸閉状態である場合に、前記かご内電気機器の運転を停止させる第１のステップと、
前記かご内用電源制御部が、前記エレベーターが目的階に到着した後に前記かご内電気機器の運転を開始させる第２のステップと、
を含むことを特徴とする、エレベーター制御方法。
【発明の詳細な説明】
【技術分野】
【０００１】
本発明は、エレベーター制御装置及びエレベーター制御方法に関し、かご内電気機器を省電力化するエレベーター制御装置及びエレベーター制御方法に適用して好適なるものである。
【背景技術】
【０００２】
従来から、エレベーターの省電力化を実現するために、エレベーターのかご内の電気機器の電源を制御することが行われている。例えば、特許文献１では、エレベーターが一定時間戸閉状態で待機している場合には、乗りかご内に設置されている照明器は消灯、換気扇または送風機は停止、案内表示装置は停止し、乗り場ボタンによる呼びが発生した時点で、かご内電気機器を点灯および運転再開してから目的階へと向かうことが行われている。
【０００３】
また、特許文献１では、乗客の利便性を考慮して、例えばビルのエントランス階のような乗車率の高い階（以下、乗車率の高い階を基準階と称する）でエレベーターを待機させている場合には、かご扉を開いたままかご内電気機器を点灯または運転し続けることで「乗車可能状態」であることを乗客に示している。また、特許文献２でも、エレベーターの呼びが一定時間無い場合には、基準階へ自動でかごを移動することにより、乗客の利便性を向上することが行われている。
【０００４】
しかし、上記特許文献１では、基準階以外の階から乗り場ボタンによる呼びが発生すると、かご内電気機器は点灯および運転したまま目的階へ向かっている。また、上記特許文献２でも、エレベーターが自動で基準階へ移動する際には、通常運転中と同様にかご内電気機器を点灯及び運転させたまま移動しており、エレベーターの省電力化は考慮されていない。
【先行技術文献】
【特許文献】
【０００５】
【特許文献１】特開２００９−９１１３２号公報
【特許文献２】特開平７−１８７５２７号公報
【発明の概要】
【発明が解決しようとする課題】
【０００６】
昨今、電力不足が社会的に問題となっており、エレベーターシステムにおいても、省電力化することが求められている。上記特許文献１及び特許文献２において、エレベーターのかご内が無人である場合には、エレベーターのかご内電気機器を点灯したり運転したりする必要はない。エレベーターのかご内が無人である場合にかご内の電気機器を停止させることで、エレベーターの消費電力を低減させることができる。また、停電時に蓄電池を利用してエレベーターを駆動させる場合には、消費電力を抑えることでエレベーターの利用時間を延長させることができる。
【０００７】
本発明は以上の点を考慮してなされたもので、エレベーターの無人運転中のかご内電気機器の点灯及び運転を効率的に制御することが可能なエレベーター制御装置及びエレベーター制御方法を提案しようとするものである。
【課題を解決するための手段】
【０００８】
かかる課題を解決するために本発明においては、エレベーターのかご内電気機器と、前記かご内電気機器を制御するかご内用電源制御部と、前記エレベーターの運転を制御するエレベーター運転制御部と、を備え、前記かご内用電源制御部は、前記エレベーターが所定時間戸閉状態である場合に、前記かご内電気機器の運転を停止させ、前記エレベーターが目的階に到着した後に前記かご内電気機器の運転を開始させることを特徴とする、エレベーター制御装置が提供される。
【０００９】
かかる構成によれば、エレベーターが所定時間戸閉状態である場合、すなわち、エレベーターが利用されておらず待機状態の場合に、かご内電気機器を停止させ、エレベーターが目的階に到着した後にかご内電気機器の運転を開始させる。これにより、乗客の利用がなく休止中のエレベーターが、乗客による乗り場呼びにより目的階まで移動する間や、基準階へ自動運転する間の無人運転時において、かご内電気機器の点灯および運転を停止して、かご内電気機器の消費電力を抑制することができる。
【発明の効果】
【００１０】
本発明によれば、エレベーターの無人運転中のかご内電気機器の点灯及び運転を効率的に制御して、エレベーターの消費電力を抑制することができる。
【図面の簡単な説明】
【００１１】
【図１】本発明の一実施形態に係るエレベーターのかご内の構成を説明する概念図である。
【図２】同実施形態にかかるエレベーター制御装置の構成を示すブロック図である。
【図３】同実施形態にかかるエレベーター制御装置の動作を示すフローチャートである。
【発明を実施するための形態】
【００１２】
以下図面について、本発明の一実施の形態を詳述する。
【００１３】
（１）本実施の形態の概要
まず、本実施の形態の概要について説明する。昨今、電力不足が社会的に問題となっており、エレベーターにおいても、省電力化したシステムが求められている。例えば、エレベーターが一定時間戸閉状態で待機している場合には、エレベーターのかご内の電気機器を消灯したり運転を停止したりすることが行われている。しかし、乗客の利便性を考慮して、乗車率の高い階（基準階）でエレベーターを待機させる場合には、エレベーター内が無人であるにもかかわらず、エレベーターのかご内の電気機器を点灯したり運転したりしたまま移動させている。本実施の形態では、エレベーターのかご内が無人である場合には、エレベーターのかご内電気機器を点灯したり運転したりする必要はないため、かご内の電気機器を停止させることで、エレベーターの消費電力を低減させることができる。また、停電時に蓄電池を利用してエレベーターを駆動させる場合には、消費電力を抑えることでエレベーターの利用時間を延長させることができる。
【００１４】
（２）エレベーターのかご内の構成
次に、図１及び図２を参照して、エレベーターの構成について説明する。図１は、エレベーターのかご内の構成を説明する概念図である。図１に示すように、エレベーターのかご１００内には、かご内電気機器２０が備えられており、電気機器として、照明器１と、換気扇または送風機２と、案内表示装置３と、運転操作盤４などが備えられている。また、かご内電気機器２０は、図示しないエレベーター制御装置１０により電源のオンオフが制御されている。
【００１５】
照明器１は、かご１００内の天井などの上部に備えられ、かご内を照らすための照明である。換気扇または送風機２は、かご１００内の天井などの上部に備えられ、かご１００内を換気する。案内表示装置３は、かご１００内の扉側上部に備えられ、乗客にエレベーターの運転状況を知らせるための案内をディスプレイに表示する。案内表示装置３は、エレベーターの停止階を表示したり、エレベーターがどの階を運転中かを表示したりする。また、案内表示装置３は、災害時等に停電中であることを表示したりすることもできる。
【００１６】
また、運転操作盤４は、かご１００内の扉側の乗客が操作できる位置に備えられ、乗客が目的階を登録するための階数釦や開閉釦から構成される。また、運転操作盤４には、非常時に押下する非常釦が備えられていてもよい。また、運転操作盤４より下方の位置に車イスを利用する乗客用の運転操作盤４が備えられていてもよい。さらに、かご内の両サイドに運転操作盤４が備えられていてもよい。
【００１７】
次に、図２を参照して、エレベーター制御装置１０及びかご内電気機器２０について説明する。エレベーター制御装置１０は、エレベーターの動作やエレベーターのかご内電気機器２０を制御するコンピュータ装置である。エレベーター制御装置１０は、ＣＰＵおよびメモリ等の情報処理資源を備えている。ＣＰＵは、演算処理装置として機能し、メモリに記憶されているプログラムや演算パラメータ等にしたがって、エレベーターやエレベーターのかご内電気機器２０の動作を制御する。
【００１８】
また、図２に示すように、エレベーター制御装置１０は、戸制御部１１、エレベーター運転制御部１２及びかご内用電源制御部１３などから構成される。戸制御部１１は、運転操作盤４からの乗客の操作に応じて、また、経過時間に応じてエレベーターの戸の開閉を制御する。エレベーター運転制御部１２は、運転操作盤４からの乗客の操作に応じてエレベーターの運転を制御する。また、エレベーター運転制御部１２は、予め決められた基準階にエレベーターが停止するように運転を制御する。
【００１９】
かご内用電源制御部１３は、かご内電気機器２０を制御する。具体的に、かご内用電源制御部１３は、かご内用電源２１に各電気機器２０の電源オンオフを指示する。また、かご内電気機器２０は、照明器１、送風機２、案内表示装置３及び運転操作盤４と、これらの各種電気機器２０の電源をオンオフするかご内用電源２１から構成される。
【００２０】
（３）エレベーター制御装置の動作
次に、図３を参照して、エレベーター制御装置１０の動作について説明する。図３に示すように、エレベーター制御装置１０は、まず、エレベーターの戸が戸閉状態で一定時間経過したかを判定する（Ｓ１０１）。ここで、戸閉状態で一定時間経過した場合とは、すなわち、エレベーターのかご１００内が無人であり、エレベーターが利用されていないことを示す。
【００２１】
ステップＳ１０１において、戸閉状態で一定時間が経過したと判定された場合には、かご内用電源制御部１３は、かご内電気機器２０の停止をかご内用電源２１に指示する（Ｓ１０２）。ステップＳ１０２において、かご内電気機器２０を停止させることにより、エレベーターが利用されておらず、かご１００内が無人の状態において、かご内の電気機器２０を消灯及び運転停止の状態とする。
【００２２】
一方、ステップＳ１０１において、戸閉状態で一定時間が経過していない場合には、エレベーター制御装置１０は、ステップＳ１１５以降の処理を実行する。
【００２３】
そして、ステップＳ１０２を実行した後、エレベーター制御装置１０は、エレベーターホールの乗客によるホール呼びがあったかを判定する（Ｓ１０３）。ここで、ホール呼びとは、かご１００が停止している階以外の階のエレベーターホールで、乗客がかご１００を呼ぶために呼釦を押下することを意味する。
【００２４】
ステップＳ１０３において、ホール呼びがあったと判定された場合には、エレベーター制御装置１０は、ステップＳ１０９以降の処理を実行する。ステップＳ１０９以降の処理については後で説明する。
【００２５】
一方、ステップＳ１０３において、ホール呼びがなかったと判定された場合には、エレベーター制御装置１０は、かご１００が基準階に停止しているかを判定する（Ｓ１０４）。基準階とは、上記したように、乗車率の高い階であり、予め基準階として特定の階が設定されている。
【００２６】
ステップＳ１０４において、基準階であると判定された場合には、かご内用電源制御部１３は、かご内電気機器２０の停止を継続させる（Ｓ１０５）。ステップＳ１０５において、かご内電気機器２０を停止させておくことにより、エレベーターが利用されず基準階に停止しており、かご１００内が無人の状態の場合に、かご内電気機器２０を消灯及び運転停止の状態とすることができる。
【００２７】
一方、ステップＳ１０４において、基準階ではないと判定された場合には、エレベーター制御装置１０は、エレベーターの基準階への移動を開始する（Ｓ１０６）。ステップＳ１０６において、エレベーターを基準階に移動させている間、かご内用電源制御部１３は、かご内電気機器２０の停止を継続させる（Ｓ１０７）。そして、エレベーター制御装置１０は、かご内電気機器２０を停止させたまま、エレベーターを基準階に移動させる（Ｓ１０８）。
【００２８】
ステップＳ１０８においてエレベーターが基準階に到着した後、かご内用電源制御部１３は、かご内電気機器の停止を継続させる（Ｓ１０５）。このように、ステップＳ１０６〜１０８において、エレベーターが無人の状態で、エレベーターを基準階に移動させる場合でも、かご内電気機器２０を消灯及び運転停止の状態とすることができる。また、エレベーターが基準階に到着した後も、エレベーターの利用がなく、かご１００内が無人の状態の場合に、かご内電気機器２０を消灯及び運転停止の状態とすることができる。
【００２９】
また、ステップＳ１０３においてホール呼出しがあった場合には、エレベーター制御装置１０は、かご１００が目的階以外に位置しているかを判定する（Ｓ１０９）。ここで、目的階とは、ステップＳ１０３において呼び出されたエレベーターホールの階を意味する。ステップＳ１０９において、かご１００が目的階以外に位置している場合には、エレベーター制御装置１０は、かご１００の目的階への移動を開始する（Ｓ１１０）。
【００３０】
ステップＳ１１０において、かご１００が目的階に位置している場合には、エレベーター制御装置１０は、ステップＳ１１３以降の処理を実行する。
【００３１】
ステップＳ１１０において、エレベーターを目的階に移動させている間、かご内用電源制御部１３は、かご内電気機器２０の停止を継続させる（Ｓ１１１）。そして、エレベーター制御装置１０は、かご内電気機器２０を停止させたまま、エレベーターを目的階に移動させる（Ｓ１１２）。
【００３２】
そして、ステップＳ１１２においてかご１００が目的階に到着した後、かご内用電源制御部１３は、かご内電気機器２０を作動させる（Ｓ１１３）。具体的に、かご内用電源制御部１３は、かご内用電源２１に対して、照明器１、送風機２、案内表示装置３及び運転操作盤４の電源オンを指示する。
【００３３】
そして、エレベーター制御装置１０は、戸開制御する（Ｓ１１４）。そして、乗客がかご１００に乗り入れた（Ｓ１１５）後、エレベーター制御装置１０は、乗客の操作に応じてかご１００を移動させる（Ｓ１１６）。
【００３４】
そして、エレベーター制御装置１０は、かご１００が目的階に移動したかを判定し（Ｓ１１７）、かご１００が目的階に移動した場合には、ステップＳ１０１以降の処理を繰り返す。
【００３５】
上記処理により、乗客の利用がなく休止中のエレベーターが、乗客によるホール呼びにより目的階まで移動する間や、基準階へ自動運転する間の無人運転時において、かご内電気機器の点灯および運転を停止して、かご内電気機器の消費電力を抑制する。これにより、エレベーターにおける電力の省電力化が図れ、社会的および顧客ニーズに貢献することができる。また、停電中にバッテリ等の蓄電池を利用して駆動するシステムを有するエレベーターにおいては、バッテリの消費を抑えることができるため、停電中のエレベーターの利用可能時間を増加させることが可能となる。
【００３６】
なお、かご内電気機器２０の停止及び作動のタイミングは上記した図３のタイミングに限られない。
【００３７】
例えば、図３では、ステップＳ１１２においてかご１００が目的階に到着した後に、かご内電気機器２０を作動させているが、かご１００が目的階に到着するために減速するタイミングでかご内電気機器２０を作動させるようにしてもよい。
【００３８】
また、例えば、ステップＳ１０６〜ステップＳ１０８においてかご１００の基準階への移動を開始して到着するまでの間に、かご内電気機器２０を段階的に点灯または運転開始させるようにしてもよい。例えば、照明器１を他のかご内電気機器２０よりも先行して点灯させて、かご１００が基準階または目的階に到着した後、乗客が乗り込みを開始する前に案内表示装置３や運転操作盤４を点灯させるようにしてもよい。
【００３９】
また、ステップＳ１０２において、かご内電気機器２０を停止させる場合にも、かご内電気機器２０を段階的に消灯または運転停止させるようにしてもよい。例えば、戸閉状態で２０秒経過した場合に照明器１を消灯させ、続いて、３０秒後に送風機２の運転を停止させ、３分経過後に案内表示装置３及び運転操作盤４などのすべてのかご内電気機器２０を消灯または運転停止させるようにしてもよい。
【００４０】
このように、段階的にかご内電気機器２０を消灯したり点灯したりすることにより、さらに、エレベーターの省電力化を図ることが可能となる。
【符号の説明】
【００４１】
１      照明器
２      換気扇（送風機）
３      案内表示装置
４      運転操作盤
１０    エレベーター制御装置
１１    戸制御部
１２    エレベーター運転制御部
１３    かご内用電源制御部
１００  かご
【図１】
2014237531.tif 000003
【図２】
2014237531.tif 000004
【図３】
2014237531.tif 000005